(57)【要約】      （修正有）【課題】製造コストを低減させることができるとともに確実に接地を行うことが可能なジャックカバ−を提供する。 【解決手段】ピンジャック３０ａ〜３０ｃの円筒形先端部３１ａ〜３１ｃが透孔１１ａ〜１１ｃに挿通された際に、透孔１１ｃの周縁部に形成された弾性部１２ａ〜１２ｃにより円筒形先端部が押圧されることにより、ジャックカバ−１０とピンジャックとの接続が確実になされる。また、ジャックカバ−１０は、ピンジャックの円筒形先端部が挿通された状態でビス１５により基板２０と共締めされるとともに、ビス１５が基板２０の接地端子に接触しているため、基板２０の接地端子とピンジャック３０とが電気的に導通することとなる。その結果、確実に接地を行うことが可能となる。【選択図】図１
0003109874.tif 000002
【実用新案登録請求の範囲】
【請求項１】
基板上に設置されたピンジャックを固定するジャックカバ−において、
金属製の部材からなるとともに静電気やノイズを遮蔽するために上記ピンジャックを被覆するシ−ルドボックスと一体的に形成された箱状態であり、
上記基板上に複数設置されたピンジャックの全てを被覆し、
上記ピンジャックの円筒形先端部を挿通する透孔と、
ビスを挿通するビス孔とが形成され、
上記透孔の近傍には、挿通された上記円筒形先端部を押圧する金属性の弾性部が形成され、
上記ビスは、上記基板の接地端子に接触した状態で同ビスにより上記基板に固定されることを特徴とするジャックカバ−。
【請求項２】
基板上に設置されたピンジャックを固定するジャックカバ−において、
金属製の部材からなり、
上記ピンジャックの円筒形先端部を挿通する透孔と、
ビスを挿通するビス孔とが形成され、
上記透孔の近傍には、挿通された上記円筒形先端部を押圧する金属性の弾性部が形成され、
上記ビスが上記基板の接地端子に接触した状態で同ビスにより上記基板に固定されることを特徴とするジャックカバ−。
【請求項３】
断面視略Ｌ字状の板状体であることを特徴とする請求項２に記載のジャックカバ−。
【請求項４】
静電気やノイズを遮蔽するために上記ピンジャックを被覆するシ−ルドボックスと一体的に形成されていることを特徴とする請求項２に記載のジャックカバ−。
【請求項５】
上記基板上に複数設置されたピンジャックの全てを被覆することを特徴とする請求項４に記載のジャックカバ−。
【考案の詳細な説明】
【技術分野】
【０００１】
本考案は、ピンジャックを固定するジャックカバ−に関するものである。
【背景技術】
【０００２】
従来、基板上に設置されたピンジャックを固定するジャックカバ−において、２つのブラケットでピンジャックを固定するにあたり、導電性部材を介在させることにより接地を行い、静電破壊防止やノイズ成分の除去をすることが可能となるジャックカバ−が知られている（例えば、特許文献１参照）。しかし、このようなジャックカバ−では、ジャックカバ−を構成する部材（２つのブラケットおよび導電性部材）が多くなり、コスト高となってしまう問題があった。この問題を解決するジャックカバ−として、ジャックカバ−を、コネクタを押える押え金具と、コネクタ固定金具との２つの金属部材により構成したものが知られている（例えば、特許文献２参照）。
【特許文献１】実開平４−１２７９８７号公報
【特許文献２】実開平４−１１６３８８号公報
【考案の開示】
【考案が解決しようとする課題】
【０００３】
しかしながら、上述した特許文献２に記載のジャックカバ−では、上記押え金具とピンジャックとを単に接触させているのみであり、接触不良が発生し易く、接地が不十分で静電破壊防止やノイズ成分の除去を充分に行うことができないという問題があった。
【０００４】
本考案は、かかる実情に鑑み、製造コストを低減させることができるとともに確実に接地を行うことが可能なジャックカバ−を提供しようとするものである。
【課題を解決するための手段】
【０００５】
上記目的を達成するため、請求項２にかかる考案は、基板上に設置されたピンジャックを固定するジャックカバ−において、
金属製の部材からなり、
上記ピンジャックの円筒形先端部を挿通する透孔と、
ビスを挿通するビス孔とが形成され、
上記透孔の近傍には、挿通された上記円筒形先端部を押圧する金属性の弾性部が形成され、
上記ビスが上記基板の接地端子に接触した状態で同ビスにより上記基板に固定される構成としてある。
【０００６】
上記のように構成した請求項２にかかる考案において、ジャックカバ−は、基板上に設置されたピンジャックを固定するものである。また、ジャックカバ−は、金属製の部材からなり、ピンジャックの円筒形先端部を挿通する透孔と、ビスを挿通するビス孔とが形成されている。すなわち、ジャックカバ−を金属製の部材として一体的に形成することが可能であり、複数の部材を必要とせず、製造コストの低減に繋がる。
【０００７】
さらに、ジャックカバ−の形成された透孔の近傍には、挿通された上記円筒形先端部を押圧する金属製の弾性部が形成されており、上記ビスが上記基板の接地端子に接触した状態で同ビスにより上記基板に固定される構成となっている。このように構成することにより、透孔にピンジャックの円筒形先端部が挿通された際に上記弾性部により押圧されるため、同円筒形先端部と金属製のジャックカバ−との接触が堅固に成されることとなる。また、ジャックカバ−を基板に固定したときには、ジャックカバ−と基板とを共締めするビスが基板の接地端子に接触した状態となるため、ピンジャックの円筒形先端部と基板の接地端子とが電気的に導通することとなる。その結果、確実に接地を行うことが可能となる。
【０００８】
また、請求項３にかかる考案は、ジャックカバ−が、断面視略Ｌ字状の板状体である構成としてある。
上記のように構成した請求項３にかかる考案において、ジャックカバ−簡易に成形して得ることが可能となるため、更なる製造コストの低減に繋がる。
【０００９】
さらに、請求項４にかかる考案は、ジャックカバ−が、静電気やノイズを遮蔽するために上記ピンジャックを被覆するシ−ルドボックスと一体的に形成されている構成としてある。
上記のように構成した請求項４にかかる考案において、ジャックカバ−がシ−ルドボックスと一体的に形成されるため、更なる製造コストの低減に繋がる。
【００１０】
さらに、請求項５にかかる考案は、上記基板上に複数設置されたピンジャックの全てを被覆する構成としてある。
上記のように構成した請求項５において、シ−ルドボックスと一体的に形成されたジャックカバ−が、基板上に複数設置されたピンジャックの全てを被覆することができるため、全てのピンジャックについて静電破壊防止やノイズ成分の除去をすることができる。
【考案の効果】
【００１１】
本考案の請求項２にかかる考案では、製造コストの低減に繋がるとともに、確実に接地を行うことが可能となる。
請求項３にかかる考案では、ジャックカバ−簡易に成形して得ることが可能となるため、更なる製造コストの低減に繋がる。
請求項４にかかる考案では、ジャックカバ−がシ−ルドボックスと一体的に形成されるため、更なる製造コストの低減に繋がる。
請求項５にかかる考案では、全てのピンジャックについて静電破壊防止やノイズ成分の除去をすることができる。
【考案を実施するための最良の形態】
【００１２】
以下、下記の順序に従って本考案の実施形態を説明する。
（１）第一の実施形態：
（２）第二の実施形態：
（３）各種変形例：
（４）まとめ：
【００１３】
（１）第一の実施形態：
図１は、本考案の第一の実施形態にかかるジャックカバ−と、基板上に設置されたピンジャックとを模式的に示す斜視図である。同図において、基板２０上には、３つのピンジャック３０（３０ａ〜３０ｃ）が設置されている。このピンジャック３０は、基板２０上の所定位置に、ピンジャック３０の多極ピン端子（図示せず）が半田付けされることにより取り付けられている。３つのピンジャック３０の各々は、ピンプラグ（図示せず）が挿入される挿入口が形成された円筒形先端部３１（３１ａ〜３１ｃ）を具備している。
【００１４】
これら３つのピンジャック３０は、断面視略Ｌ字状の板形状のジャックカバ−１０により固定される。ジャックカバ−１０は、銅等の金属部材からなり、ピンジャック３０ａ〜３０ｃの円筒形先端部３１ａ〜３１ｃがそれぞれ挿通される透孔１１ａ〜１１ｃが形成されている。また、ジャックカバ−１０には、後述するビス１５が挿通されるビス孔１４も形成されている。このジャックカバ−１０を基板２０上に取り付ける際には、ピンジャック３０（３０ａ〜３０ｃ）の円筒形先端部３１ａ〜３１ｃを、それぞれ透孔１１ａ〜１１ｃに挿通させるとともに、ビス１５により、ジャックカバ−１０と基板２０とを共締めする。なお、ジャックカバ−１０に形成された透孔１１ａ〜１１ｃの周縁部には、複数の金属製の弾性部１２ａ〜１２ｃが設けられており。円筒形先端部３１ａ〜３１ｃが透孔１１ａ〜１１ｃに挿通されたときには、弾性部１２ａ〜１２ｃが、円筒形先端部３１ａ〜３１ｃの各々を弾性的に押圧することにより、ジャックカバ−１０とピンジャック３０との接続が確実になされる。
【００１５】
図２は、図１に示したピンジャック３０にジャックカバ−１０が取り付けられている様子を示す断面図である。同図において、基板２０上に設置されたピンジャック３０ｃが、ジャックカバ−１０の透孔１１ｃに挿通されている。なお、図２には示していないが、ピンジャック３０ｃ以外の２つのピンジャック３０ａ、３０ｂについても同様に、ジャックカバ−１０の透孔１１ａ、１１ｂにそれぞれ挿通されている。また、ジャックカバ−１０は、ビス１５により、基板２０と共締めされている。このビス１５は、基板２０に形成された接地端子（図示せず）と接触しており、これにより、ピンジャック３０の円筒形先端部３１と基板２０の接地端子とが電気的に導通することとなり、ピンジャック３０の接地がなされる。
【００１６】
図３は、ピンジャック３０のジャックカバ−１０への挿通部分の拡大断面図である。同図において、ピンジャック３０ｃが、ジャックカバ−１０の透孔１１ｃに挿通されている様子が示されている。透孔１１ｃの周縁部には、複数の金属製の弾性部１２ｃが形成されている。この弾性部１２ｃは、断面視略Ｕ字状の板状体である。弾性部１２ｃは、ジャックカバ−１０と一体的に形成するようにしてもよいし、弾性部１２ｃを別途形成した後、ジャックカバ−１０と溶接するようにしてもよい。
【００１７】
ピンジャック３０ｃが透孔１１ｃに挿通されていないときには、弾性部１２ｃは、その一部が透孔１１ｃの前方（図３においては左側）に位置するように形成されている。そして、ピンジャック３０ｃの円筒形先端部３１ｃを透孔１１ｃに挿通する際に、弾性部１２ｃが透孔１１ｃの外側に向かって押し退けられる。このとき、弾性部１２ｃにより円筒形先端部３１ｃが弾性的に押し付けられる。このようにすることにより、ジャックカバ−１０とピンジャック３０ｃとの接続が確実になされ、多少の衝撃等が加わっても、接続部分が脱落してしまったりすることがない。
【００１８】
以上説明したように、第一の実施形態にかかるジャックカバ−１０では、ピンジャック３０（３０ａ〜３０ｃ）の円筒形先端部３１（３１ａ〜３１ｃ）が透孔１１（１１ａ〜１１ｃ）に挿通された際に、透孔１１ｃの周縁部に形成された弾性部１２（１２ａ〜１２ｃ）により円筒形先端部３１が押圧されることにより、ジャックカバ−１０とピンジャック３０との接続が確実になされる。また、ジャックカバ−１０は、ピンジャック３０の円筒形先端部３１が挿通された状態でビス１５により基板２０と共締めされるとともに、ビス１５が基板２０の接地端子に接触しているため、基板２０の接地端子とピンジャック３０とが電気的に導通することとなる。その結果、確実に接地を行うことが可能となる。
【００１９】
（２）第二の実施形態：
図４は、第二の実施形態にかかるジャックカバ−と、基板上に接地されたピンジャックとを模式的に示す斜視図である。同図において、ジャックカバ−１１０は、３つのピンジャック３０（３０ａ〜３０ｃ）の全てを被覆する大きさを有する箱形状を有しており、手前側側面に、ピンジャック３０の円筒形先端部３１（３１ａ〜３１ｃ）がそれぞれ挿通される透孔１１１ａ〜１１１ｃが形成されている。このジャックカバ−１１０は、その全部が金属製の部材により構成されている。第二の実施形態にかかるジャックカバ−１１０は、ピンジャック３０を静電気やノイズ成分から保護するためのシ−ルドボックスと一体的に形成されているものである。第二の実施形態にかかるジャックカバ−では、ジャックカバ−とシ−ルドボックスとを一体的に形成することによりコストダウンを図ることができるとともに、基板２０上に複数設置されたピンジャックの全てを被覆することができるため、静電破壊防止やノイズ成分の除去を確実に行うことが可能となる。
【００２０】
（３）各種変形例：
【００２１】
上述した実施形態では、基板上に設置された３つのピンジャックの全てが一のジャックカバ−により固定されている場合について説明したが、基板上に設置された複数のピンジャックの各々に対応するジャックカバ−とし、同ジャックカバ−により一のピンジャックを固定するようにしてもよい。
また、本考案においては、弾性部としては、挿通されたピンジャックの円筒形先端部を押圧することができる金属製のものであれば、第一の実施形態にて示した弾性部１２（１２ａ〜１２ｃ）に限定されるものではない。
【００２２】
（４）まとめ：
以上説明したように、実施形態にかかるジャックカバ−１０では、ピンジャック３０（３０ａ〜３０ｃ）の円筒形先端部３１（３１ａ〜３１ｃ）が透孔１１（１１ａ〜１１ｃ）に挿通された際に、透孔１１ｃの周縁部に形成された弾性部１２（１２ａ〜１２ｃ）により円筒形先端部３１が押圧されることにより、ジャックカバ−１０とピンジャック３０との接続が確実になされる。また、ジャックカバ−１０は、ピンジャック３０の円筒形先端部３１が挿通された状態でビス１５により基板２０と共締めされるとともに、ビス１５が基板２０の接地端子に接触しているため、基板２０の接地端子とピンジャック３０とが電気的に導通することとなる。その結果、確実に接地を行うことが可能となる。
【図面の簡単な説明】
【００２３】
【図１】実施形態にかかるジャックカバ−と、基板上に設置されたピンジャックとを模式的に示す斜視図である。
【図２】図１に示したピンジャックにジャックカバ−が取り付けられている様子を示す断面図である。
【図３】ピンジャックのジャックカバ−への挿通部分の拡大断面図である。
【図４】第二の実施形態にかかるジャックカバ−と、基板上に接地されたピンジャックとを模式的に示す斜視図である。
【符号の説明】
【００２４】
１０、１１０…ジャックカバ−
１１（１１ａ〜１１ｃ）…透孔
１２（１２ａ〜１２ｃ）…弾性部
１４…ビス孔
１５…ビス
２０…基板
３０（３０ａ〜３０ｃ）…ピンジャック
３１（３１ａ〜３１ｃ）…円筒形先端部
【図１】
0003109874.tif 000003
【図２】
0003109874.tif 000004
【図３】
0003109874.tif 000005
【図４】
0003109874.tif 000006